(57)【要約】【課題】電子部品の搭載箇所の選択肢を増やすことが可能な端子金具およびコネクタを提供する。【解決手段】端子金具１０は、両端部に設けられた接続部１１，１２と、中間部に設けられ、切断されることにより分離されたその両側に電子部品５０の端子５１がそれぞれ接続可能となって形成される部品搭載部１３と、を備えている。このような構成によれば、中間部を切断しなければ通常の使用が可能な端子金具１０に電子部品５０を搭載することができるから、電子部品５０の搭載箇所の選択肢を増やすことができる。【選択図】図２
2016021330.tif 000002
【特許請求の範囲】
【請求項１】
両端部に設けられた接続部と、
中間部に設けられ、切断されることにより分離されたその両側に電子部品の端子がそれぞれ接続可能となって形成される部品搭載部と、
を備えた端子金具。
【請求項２】
前記接続部のうち一方が他の端子金具に接続可能とされ、他方が電線の端末部に接続可能とされている請求項１に記載の端子金具。
【請求項３】
請求項１または請求項２に記載の端子金具と、
前記端子金具を保持するハウジングと、
を備えたコネクタ。
【請求項４】
前記ハウジングには複数の前記端子金具が保持されるとともに、複数の前記端子金具の前記部品搭載部を外部に露出させる開口部が設けられている請求項３に記載のコネクタ。
【請求項５】
前記ハウジングに、他のコネクタが嵌合可能な嵌合部が設けられ、
前記端子金具の接続部のうち一方が前記嵌合部に配されて前記他のコネクタの端子金具と接続可能とされ、他方が基板に接続可能とされている請求項３または請求項４に記載のコネクタ。
【請求項６】
前記ハウジングには、他のコネクタが嵌合可能な嵌合部が複数設けられ、前記端子金具の接続部が前記嵌合部にそれぞれ配されて前記他のコネクタの端子金具と接続可能とされている請求項３または請求項４に記載のコネクタ。
【発明の詳細な説明】
【技術分野】
【０００１】
本発明は、端子金具およびコネクタに関する。
【背景技術】
【０００２】
従来、各種の電子部品を回路基板に実装することが知られている。例えば、下記特許文献１には、複数の電子部品を回路基板に実装してなる回路構成体をケースに収容した電気接続箱が記載されている。
【先行技術文献】
【特許文献】
【０００３】
【特許文献１】特開２００７−８８０２１号公報
【発明の概要】
【発明が解決しようとする課題】
【０００４】
ところで、上記のように電子部品を回路基板に実装する構成では、回路に接続すべき電子部品の数や種類に細かに対応しようとすると、それに応じて回路構成体の仕様を変える必要があり、回路構成体の品番が膨大に増加することになる。このため、回路に接続すべき電子部品の数や種類に応じて細かな対応をすることが難しく、不要な電子部品を回路基板に搭載する等しておおまかに対応していた。そこで、回路構成体の仕様を変えることなく、電子部品の搭載の仕様を変えることができるよう、電子部品の搭載箇所の選択肢を増やしたいという要望があった。
【０００５】
本発明は上記のような事情に基づいて完成されたものであって、電子部品の搭載箇所の選択肢を増やすことが可能な端子金具およびコネクタを提供することを目的とする。
【課題を解決するための手段】
【０００６】
本発明の端子金具は、両端部に設けられた接続部と、中間部に設けられ、切断されることにより分離されたその両側に電子部品の端子がそれぞれ接続可能となって形成される部品搭載部と、を備えている。
また、本発明のコネクタは、前記端子金具と、前記端子金具を保持するハウジングと、を備えている。
【発明の効果】
【０００７】
本発明の端子金具によれば、中間部を切断しなければ通常の使用が可能な端子金具に電子部品を搭載することができるから、電子部品の搭載箇所の選択肢を増やすことができる。
本発明のコネクタによれば、コネクタに電子部品を搭載することができるから、電子部品の搭載箇所の選択肢を増やすことができる。
【図面の簡単な説明】
【０００８】
【図１】実施例１にかかる端子金具に電子部品を搭載する前の状態を示す斜視図
【図２】端子金具に電子部品を搭載した状態を示す斜視図
【図３】電子部品を搭載したコネクタを示す斜視図
【図４】電子部品を搭載したコネクタを示す正面図
【図５】電子部品を搭載したコネクタを示す平断面図であって、図４のＡ−Ａ位置における断面に相当する断面図
【図６】電子部品を搭載したコネクタを示す縦断面図であって、図４のＢ−Ｂ位置における断面に相当する断面図
【図７】端子金具を収容する前のハウジングを示す平断面図であって、図４のＡ−Ａ位置における断面に相当する断面図
【図８】端子金具を切断する前のコネクタを示す平面図
【図９】端子金具を切断する前のコネクタを示す底面図
【図１０】端子金具を切断する前のコネクタを示す平断面図であって、図４のＡ−Ａ位置における断面に相当する断面図
【図１１】電子部品を搭載する前のコネクタを示す横断面図であって、図９のＣ−Ｃ位置における断面に相当する断面図
【図１２】電子部品を搭載したコネクタを示す横断面図であって、図９のＤ−Ｄ位置における断面に相当する断面図
【図１３】実施例２にかかるコネクタであって、電子部品を搭載した状態を示す斜視図
【図１４】電子部品を搭載したコネクタを示す平断面図
【図１５】電子部品を搭載したコネクタを示す縦断面図
【図１６】実施例３にかかる端子金具に電子部品を搭載する前の状態を示す斜視図
【図１７】端子金具に電子部品を搭載した状態を示す斜視図
【図１８】電子部品を搭載したコネクタを示す斜視図
【図１９】電子部品を搭載したコネクタを示す縦断面図
【発明を実施するための形態】
【０００９】
本発明の好ましい形態を以下に示す。
本発明の端子金具は、前記接続部のうち一方が他の端子金具に接続可能とされ、他方が電線の端末部に接続可能とされているものとしてもよい。このような構成によれば、電線に接続される端子金具に電子部品を搭載することができるから、電子部品の搭載箇所の選択肢を増やすことができる。
【００１０】
また、本発明のコネクタは、前記ハウジングには複数の前記端子金具が保持されるとともに、複数の前記端子金具の前記部品搭載部を外部に露出させる開口部が設けられているものとしてもよい。このような構成によれば、ハウジングに複数の端子金具を保持させた後に、選択的に端子金具を切断して部品搭載部を適宜形成することができるから、コネクタの仕様を容易に変更することができる。
【００１１】
また、本発明のコネクタは、前記ハウジングに、他のコネクタが嵌合可能な嵌合部が設けられ、前記端子金具の接続部のうち一方が前記嵌合部に配されて前記他のコネクタの端子金具と接続可能とされ、他方が基板に接続可能とされているものとしてもよい。このような構成によれば、基板に搭載される基板用コネクタに電子部品を搭載することができるから、電子部品の搭載箇所の選択肢を増やすことができる。
【００１２】
また、本発明のコネクタは、前記ハウジングに、他のコネクタが嵌合可能な嵌合部が複数設けられ、前記端子金具の接続部が前記嵌合部にそれぞれ配されて前記他のコネクタの端子金具と接続可能とされているものとしてもよい。このような構成によれば、複数のコネクタをジョイントさせるジョイントコネクタに電子部品を搭載することができるから、電子部品の搭載箇所の選択肢を増やすことができる。
【００１３】
＜実施例１＞
以下、本発明を具体化した一実施例について、図１〜図１２を参照しつつ詳細に説明する。
本実施例における端子金具１０は、プリント回路基板に搭載される基板用のコネクタ（以下、コネクタＣと称する）に備えられるものである。以下、各構成部材において、図３の上側を上方、下側を下方、左手前側を前方、右奥側を後方として説明する。
【００１４】
端子金具１０は導電金属製であって全体として細長い板状をなし、その長手方向（軸方向）の両端部に、基板に形成された導電路に接続される接続部（以下、第１接続部１１と称する）と、コネクタＣに嵌合される図示しない他のコネクタに備えられた端子金具に接続される接続部（以下、第２接続部１２と称する）とが設けられている。第１接続部１１は、基板に貫通形成された接続孔に挿入されて半田接続される。
【００１５】
端子金具１０の長手方向の中間部には、切断されることにより分離されたその両側に電子部品５０の端子５１がそれぞれ接続可能となって形成される部品搭載部１３が設けられている。
【００１６】
部品搭載部１３には、スリット１４が板厚方向に貫通して形成されている。スリット１４は、端子金具１０の幅方向の略中心に、軸方向に延びて設けられている。スリット１４が形成されることで、部品搭載部１３は幅方向に分離した形態とされている。
【００１７】
部品搭載部１３には、端子金具１０に電子部品５０を搭載する場合に切断される切断部１５が設けられている。切断部１５は、部品搭載部１３のうち他の部分よりも幅寸法が小さく（スリット１４の幅寸法が大きく）されて切断しやすくされている。切断部１５が切断されることにより、部品搭載部１３は前後に分断され、電子部品５０の端子５１が分断されたそれぞれの側に接続される。なお、以下、切断部１５が切断されることによりその両側に形成されて電子部品５０の端子５１がそれぞれ接続される部分を部品接続部１６と称する。
【００１８】
各部品接続部１６には、電子部品５０に備えられた平板状をなす端子５１に接触可能な接点部１７が設けられている。接点部１７は、各部品接続部１６に一対ずつスリット１４の両側に設けられている。接点部１７は、丸い形状をなしてスリット１４側に突出している。以下、接点部１７のうち第１接続部１１側に位置する一対の接点部１７を第１接点部１７Ｆ、第２接続部１２側に位置する接点部１７を第２接点部１７Ｓと称する。第１接点部１７Ｆおよび第２接点部１７Ｓはそれぞれ、スリット１４を挟んで対称形状とされている。
【００１９】
部品接続部１６のうち接点部１７とは反対側（端子金具１０の両側面）には、ハウジング３０の壁に接触して接点部１７間の過度の開きを抑制する支点部１８が設けられている。支点部１８は、接点部１７と対称な丸い形状をなして側方に突出している。
【００２０】
部品接続部１６のうち第１接点部１７Ｆおよび第２接点部１７Ｓよりも端側に位置する部分には、スリット１４の幅寸法を端に向かって徐々に狭める傾斜をなす傾斜面１９が形成されている。傾斜面１９はスリット１４の両側に設けられている。
【００２１】
部品接続部１６には、電子部品５０に備えられた棒状の端子５１が挿入される端子挿入部２１が設けられている（図５参照）。端子挿入部２１は、スリット１４の両端部に設けられ、他の部分よりも幅狭とされた部分である。
【００２２】
端子金具１０は、圧入によりハウジング３０に保持される。端子金具１０には、ハウジング３０に圧入保持される圧入部２２が設けられている。圧入部２２は、切断部１５を間にして第１接続部１１側と第２接続部１２側とにそれぞれ設けられている。なお、以下では、第１接続部１１側に位置する圧入部２２を第１圧入部２２Ｆ、第２接続部１２側に設けられる圧入部２２を第２圧入部２２Ｓと称する。
【００２３】
第１圧入部２２Ｆは、部品搭載部１３と第１接続部１１との間に設けられ、第２圧入部２２Ｓは、部品搭載部１３と第２接続部１２との間に設けられている。第１圧入部２２Ｆは第１接続部１１よりも幅寸法が若干大きく、部品搭載部１３よりも幅寸法が小さくされている。また、第２圧入部２２Ｓは部品搭載部１３よりも若干幅寸法が大きくされている。すなわち、端子金具１０は、第１接続部１１から第２圧入部２２Ｓにかけて段階的に幅寸法が増すものとされている。
【００２４】
部品搭載部１３と第１圧入部２２Ｆとの間に形成される段差は、端子金具１０をハウジング３０に挿入する際に、ハウジング３０に突き当たって端子金具１０の前進を制限する第１前止め部２３とされている（図５参照）。第１前止め部２３は、第１圧入部２２Ｆの両側に突出している。
【００２５】
また、第２圧入部２２Ｓと第２接続部１２との間には、第２圧入部２２Ｓの両側に突出して、端子金具１０をハウジング３０に挿入する際にハウジング３０に突き当たって端子金具１０の前進を制限する第２前止め部２４が設けられている。
【００２６】
コネクタＣは、複数の端子金具１０を保持するハウジング３０を備えている。ハウジング３０は合成樹脂製であって、前方から図示しない他のコネクタが嵌合可能とされた嵌合部３１を備えている。嵌合部３１は、前方に開口している。
【００２７】
ハウジング３０には、端子金具１０を個別に保持する端子保持部３３が複数設けられている（図４参照）。端子保持部３３は、上下２段にわけて形成され、下段の端子保持部３３は、ハウジング３０の幅方向の全体に並べて配されている。
【００２８】
ハウジング３０に保持された端子金具１０の第１接続部１１は、図５に示すように、ハウジング３０の後面に略垂直に突出して配され、第２接続部１２は、嵌合部３１の奥面（嵌合面）３２に略垂直に突出して配される。
【００２９】
端子保持部３３は、端子金具１０のうち部品搭載部１３が収容される端子収容部３５と、端子金具１０の圧入部２２が圧入される圧入孔部３６とを備えている。端子金具１０の部品搭載部１３は、各端子収容部３５の底面（上下段の端子収容部３５の間を仕切る隔壁３７の上面または下面）に板面が沿うようにして配置される（図６参照）。
【００３０】
各端子収容部３５には、端子金具１０の切断部１５を切断するための貫通穴３８が形成されている（図５参照）。貫通穴３８は、各端子収容部３５のうち端子金具１０の切断部１５が配される部位に形成されて、隔壁３７を上下方向に貫通している。貫通穴３８は、各端子収容部３５の幅全体に形成された方形状をなしている。
【００３１】
各端子収容部３５の底面には、端子金具１０に搭載された電子部品５０の端子５１の先端が差し入れられる溝部３９が凹み形成されている（図１２参照）。溝部３９は、各端子収容部３５の幅方向の略中心に位置して、貫通穴３８の前方および後方に延びて設けられている（図７参照）。各端子収容部３５の底面のうち溝部３９の幅方向の両側に位置する部分は、端子金具１０が載置される載置部４１とされている（図１１参照）。
【００３２】
端子保持部３３の前後方向における両端部（端子収容部３５の前方および後方に位置する部分）には、端子金具１０の圧入部２２が圧入保持される圧入孔部３６が設けられている。圧入孔部３６は、端子収容部３５の底面に段差なく連なって設けられている。
【００３３】
第１圧入部２２Ｆが圧入される圧入孔部３６（以下、第１圧入孔部３６Ｆと称する）は、図５に示すように、ハウジング３０の後端部に前後方向に貫通して形成されている。第１圧入孔部３６Ｆは、第１圧入部２２Ｆよりも幅寸法が若干小さくされている。
【００３４】
第２圧入部２２Ｓが圧入される圧入孔部３６（以下、第２圧入孔部３６Ｓと称する）は、図５に示すように、嵌合部３１の奥壁に前後方向に貫通して形成されている。第２圧入孔部３６Ｓは、第２圧入部２２Ｓよりも幅寸法が若干小さくされている。なお、第２圧入孔部３６Ｓの幅寸法は、端子収容部３５の幅寸法と同等とされている。
【００３５】
端子収容部３５と第１圧入孔部３６Ｆとの境に形成される段差は、端子金具１０の第１前止め部２３が突き当たる第１突当て部４２とされている。また、第２圧入孔部３６Ｓの前端部には、端子金具１０の第２前止め部２４が突き当たる第２突当て部４３が設けられている。第２突当て部４３は、嵌合部３１の奥面３２に凹み形成された凹部の奥端面であり、この凹部には、端子金具１０の第２前止め部２４の全体が収容される。
【００３６】
ハウジング３０のうち各端子収容部３５の外側（上段の端子収容部３５においては上側、下段の端子収容部３５においては下側）には、図１２に示すように、電子部品５０を収容可能な部品収容部４４が設けられている。部品収容部４４は、端子収容部３５に連なって形成され、外方（上段の端子収容部３５においては上方、下段の端子収容部３５においては下方）に開口している。部品収容部４４の幅方向の両側面は、互いに略平行をなしている。また、部品収容部４４のうち貫通穴３８よりも前側（嵌合部３１側）に位置する部分は、後側に位置する部分よりも幅寸法が大きくされている（図８参照）。
【００３７】
ハウジング３０には、ハウジング３０に保持されたすべての端子金具１０の部品搭載部１３（ハウジング３０の端子収容部３５および部品収容部４４）を外部に露出させる開口部４５が設けられている。開口部４５は、図１１に示すように、部品収容部４４の外側端部（上段の部品収容部４４においては上端部、下段の部品収容部４４においては下端部）を水平方向に連通するようにして複数の端子収容部３５を一括して外部に開放している。開口部４５は、図８および図９に示すように、方形状をなし、その前後方向の寸法は、端子収容部３５の全体を開放可能な寸法とされている。
【００３８】
開口部４５は、ハウジング３０の上面側に形成されて上段に配された端子金具１０を露出させる上面開口部４５Ｕと（図８参照）、下段に配された端子金具１０を露出させる下面開口部４５Ｓと（図９参照）を備えている。上面開口部４５Ｕは、ハウジング３０の段差凹部３４の左右両側に一ずつ設けられている。下面開口部４５Ｓは、下段の端子収容部３５のすべてを一括して露出させている。
【００３９】
次に、コネクタＣの製造方法の一例を説明する。
まず、ハウジング３０に端子金具１０を収容する。第１接続部１１を先に向けて、嵌合部３１側の開口から端子金具１０を各端子保持部３３に挿入する。端子金具１０はそれぞれ端子保持部３３内を前進し、第１接続部１１が第１圧入孔部３６Ｆを通過すると、第１圧入部２２Ｆおよび第２圧入部２２Ｓがそれぞれ第１圧入孔部３６Ｆおよび第２圧入孔部３６Ｓに圧入される。そして、端子金具１０の第１前止め部２３および第２前止め部２４が、それぞれハウジング３０の第１突当て部４２および第２突当て部４３に突き当たって、端子金具１０の前進が制限され、端子金具１０が所定の位置に圧入保持される（図１０参照）。
【００４０】
このようにハウジング３０に端子金具１０を収容したらコネクタＣの一次加工は完了する。一次加工が完了したコネクタＣは出荷され、電子部品５０を搭載する必要がないものはそのまま使用することができる。
【００４１】
次に、注文に沿ってコネクタＣを二次加工する。
まず、電子部品５０を搭載する任意の端子金具１０を切断する。本実施例では、すべての端子金具１０を切断する。このとき、２段に配された端子金具１０の切断部１５は貫通穴３８を介して一度に切断される。これにより、各端子金具１０が前後に分断され、その両側に部品接続部１６が形成される（図１４参照）。
【００４２】
次に、電子部品５０を搭載する。本実施例では、リレーおよびヒューズを搭載する場合について説明する。
ヒューズ５０の端子５１を、それぞれ一対の第１接点部１７Ｆおよび一対の第２接点部１７Ｓの間に差し込む（図５参照）。すると、各端子５１がそれぞれ一対の接点部１７によって挟まれて各部品接続部１６に導通接続され、ヒューズ５０が端子金具１０に搭載される。搭載されたヒューズ５０の大部分は、図１２に示すように、ハウジング３０内（部品収容部４４および開口部４５）に配される。
【００４３】
また、リレー５０の端子５１を、隣接する２本の端子金具１０の各端子挿入部２１にそれぞれ挿入して半田付けする（図５参照）。これにより、４本の端子５１が各部品接続部１６に導通接続され、リレー５０が端子金具１０に搭載される。搭載されたリレー５０の端子５１は、図１２に示すように、部品収容部４４にそれぞれ収容され、本体部は開口部４５に配される。
以上により、コネクタＣの二次加工が完了する。
【００４４】
次に、上記のように構成された実施例の作用および効果について説明する。
本実施例の端子金具１０は、両端部に第１接続部１１および第２接続部１２が設けられるとともに、切断されることにより分離されたその両側に電子部品５０の端子５１がそれぞれ接続可能となって形成される部品搭載部１３が中間部に設けられたものである。
この構成によれば、中間部を切断しなければ通常の使用が可能な端子金具１０に電子部品５０を搭載することができるから、電子部品５０の搭載箇所の選択肢を増やすことができる。
【００４５】
また、本実施例のコネクタＣは、端子金具１０と、端子金具１０を保持するハウジング３０と、を備えたものである。この構成によれば、コネクタＣに電子部品５０を搭載することができるから、電子部品５０の搭載箇所の選択肢を増やすことができる。
【００４６】
また、ハウジング３０には複数の端子金具１０が保持されるとともに、複数の端子金具１０の部品搭載部１３を外部に露出させる開口部４５が設けられている。この構成によれば、ハウジング３０に複数の端子金具１０を保持させた後に、選択的に端子金具１０を切断して部品搭載部１３を適宜形成することができるから、コネクタＣの仕様を容易に変更することができる。
【００４７】
また、ハウジング３０には、他のコネクタが嵌合可能な嵌合部３１が設けられ、端子金具１０の第１接続部１１および第２接続部１２のうち第２接続部１２が嵌合部３１に配されて他のコネクタの端子金具と接続可能とされ、第１接続部１１が基板に接続可能とされている。この構成によれば、基板に搭載される基板用コネクタＣに電子部品５０を搭載することができるから、電子部品５０の搭載箇所の選択肢を増やすことができる。
【００４８】
＜実施例２＞
次に、本発明を具体化した実施例２に係る端子金具６０およびコネクタ６１を図１３〜図１５によって説明する。
本実施例のコネクタ６１は、ハウジング６２に、他のコネクタが嵌合可能な嵌合部３１が一対設けられ、端子金具６０の第１接続部１１および第２接続部１２が嵌合部３１にそれぞれ配されて他のコネクタの端子金具と接続可能とされている点で、実施例１とは相違する。なお、実施例１と同様の構成には同一符号を付して重複する説明を省略する。
【００４９】
本実施例に係る端子金具６０は、実施例１と同様、両端部に第１接続部１１および第２接続部１２が設けられるとともに、切断されることにより分離されたその両側に電子部品５０の端子５１がそれぞれ接続可能となって形成される部品搭載部１３が中間部に設けられたものである。
【００５０】
端子金具６０は導電金属製であって、実施例１と同様、全体として細長い板状をなし、その長手方向（軸方向）の両端部に設けられた第１接続部１１および第２接続部１２は、コネクタ６１に嵌合される図示しない他のコネクタに備えられた端子金具にそれぞれ接続される。なお、両接続部１１，１２の幅寸法は同等とされている。
【００５１】
両接続部１１，１２のうち一方の接続部は、他方の接続部に比して嵌合部３１の奥面３２からの突出寸法が小さくされている。なお、以下では、嵌合部３１の奥面３２からの突出寸法が小さい方の接続部を第１接続部１１、大きい方の接続部を第２接続部１２と称する。
【００５２】
端子金具６０には、実施例１と同様、切断部１５を間にして第１接続部１１側と第２接続部１２側とにそれぞれハウジング６２に圧入保持される第１圧入部２２Ｆおよび第２圧入部２２Ｓが設けられている。
【００５３】
コネクタ６１は、実施例１と同様、複数の端子金具６０を保持するハウジング６２を備えている。ハウジング６２に設けられた一対の嵌合部３１は、ハウジング６２の前後に設けられ、それぞれが角筒状をなし、図示しない他のコネクタが前方または後方から嵌合可能とされている。なお、以下では、一対の嵌合部３１のうち第１接続部１１が配される側の嵌合部３１を第１嵌合部３１Ｆ、第２接続部１２が配される側の嵌合部３１を第２嵌合部３１Ｓと称する。
【００５４】
ハウジング６２には、実施例１と同様、端子金具６０を個別に保持する端子保持部３３が上下２段にわけて形成され、ハウジング６２に保持された端子金具６０の第１接続部１１および第２接続部１２は、それぞれ嵌合部３１の奥面３２（嵌合面）に突出して配される。
【００５５】
ハウジング６２には、実施例１と同様、ハウジング６２に保持されたすべての端子金具６０の部品搭載部１３を外部に露出させる上面開口部４５Ｕおよび下面開口部４５Ｓが設けられている。
【００５６】
このコネクタ６１は、実施例１と同様、第１接続部１１を先に向けて、第２嵌合部３１Ｓ側の開口から端子金具６０を各端子保持部３３に挿入することで、端子金具６０が所定の位置に圧入保持され、一次加工が完了する。その後、実施例１と同様、電子部品５０を搭載する任意の端子金具６０を切断して電子部品５０を搭載する二次加工を行うことで、容易にコネクタ６１の仕様を変えることができる。
【００５７】
以上のように本実施例においては、実施例１と同様に、両端部に第１接続部１１および第２接続部１２が設けられた端子金具６０の中間部に部品搭載部１３が設けられており、中間部を切断しなければ通常の使用が可能な端子金具６０に電子部品５０を搭載することができるから、電子部品５０の搭載箇所の選択肢を増やすことができる。また、ハウジング６２に、他のコネクタが嵌合可能な嵌合部３１が一対設けられ、端子金具６０の接続部１１，１２が各嵌合部３１にそれぞれ配されて他のコネクタの端子金具と接続可能とされており、このようなジョイントコネクタに電子部品５０を搭載することができるから、電子部品５０の搭載箇所の選択肢を増やすことができる。
【００５８】
＜実施例３＞
次に、本発明を具体化した実施例２に係る端子金具７０およびコネクタ７１を図１６〜図１９によって説明する。
本実施例の端子金具７０は、第１接続部１１および第２接続部１２のうち一方が他の端子金具７０に接続可能とされ、他方が電線Ｗの端末部に接続可能とされている点で、実施例１とは相違する。なお、実施形態１と同様の構成には同一符号を付して重複する説明を省略する。
【００５９】
端子金具７０は、実施例１と同様、両端部に第１接続部１１および第２接続部１２が設けられた端子金具７０の中間部に部品搭載部１３が設けられたものである。以下、端子金具７０の両接続部１１，１２のうち他の端子金具に接続可能な接続部を第１接続部１１、電線Ｗの端末部に接続可能な接続部を第２接続部１２と称する。
【００６０】
端子金具７０は、前後方向に細長い平板状をなす基板部７２を有し、その両端部に第１接続部１１と第２接続部１２とが設けられている。
端子金具７０は、図示しない相手側の雄型端子金具に接続される雌型の端子金具であり、第１接続部１１は、全体として、基板部７２の一面側に略角筒状をなすように設けられている。第１接続部１１は、基板部７２の両側縁に沿って立つ一対の側壁部１１Ｓと、一対の側壁部１１Ｓの立ち上がり端から略直角に屈曲されて基板部７２と略平行をなして対向配置される天壁部１１Ｔとを有している。第１接続部１１の内部には、相手側端子金具のタブが前報から挿入可能とされている。第１接続部１１の内部には、天壁部１１Ｔとの間に相手側端子金具のタブを弾性的に挟み込んで導通状態に保持する接触片１１Ｕが備えられている。
【００６１】
第１接続部１１には、ハウジング８０に設けられたランス８１が係止可能なランス係止部７３が設けられている（図１９参照）。ランス係止部７３は、基板部７２に形成された開口の縁である。
【００６２】
第２接続部１２は、電線Ｗの端末部において露出された導体に圧着されるワイヤバレル部１２Ｗと絶縁被覆に圧着されるインシュレーションバレル部１２Ｉとを備え、それぞれ基板部７２の一面側に配された電線Ｗの端末部に加締め付けられる。
【００６３】
第２接続部１２と部品搭載部１３との間には、ハウジング８０に備えられたリテーナ８４が係止可能なリテーナ係止部７４が設けられている（図１９参照）。リテーナ係止部７４は、基板部７２の一面側に立設され、基板部７２の両側縁に沿って立つ一対の立壁部７５と、一対の立壁部７５の立ち上がり端から略直角に屈曲されて基板部７２と略平行をなして対向配置される上壁部７６とを有している。なお、リテーナ係止部７４の高さ寸法（立壁部７５の立ち上がり寸法）は、第１接続部１１の高さ寸法（側壁部１１Ｓの立ち上がり寸法）と同等とされている。
【００６４】
部品搭載部１３は、基板部７２のうちリテーナ係止部７４と第１接続部１１との間に設けられている。部品搭載部１３には、基板部７２の両側縁に沿って一面側に立ち上がる側板部７７が設けられている（図１６参照）。側板部７７は、第１接続部１１の側壁部１１Ｓおよびリテーナ係止部７４の立壁部７５に連続して連なっている。なお、側板部７７の高さ寸法（立ち上がり寸法）は、側壁部１１Ｓおよび立壁部７５の高さ寸法よりも小さく、半分程度とされている。
【００６５】
コネクタ７１は、実施例１と同様、複数の端子金具７０を保持するハウジング８０を備え、ハウジング８０には、端子金具７０を個別に保持する端子保持部３３が複数、上下２段にわけて設けられている。上下の端子保持部３３には、図１９に示すように、端子金具７０が同じ向きで収容される。すなわち、上下の端子保持部３３のうち一方の端子保持部３３（以下、第１端子保持部３３Ｆと称する）においては、端子金具７０の基板部７２が隔壁３７に沿って配置され、他方の端子保持部３３（以下、第２端子保持部３３Ｓと称する）においては、端子金具７０の基板部７２が隔壁３７と対向する壁面に沿って配置される。溝部３９は、隔壁３７のうち第１端子保持部３３Ｆ側に臨む面のみに形成されている。第２端子保持部３３Ｓに収容された端子金具７０に搭載された電子部品５０の端子５１の先端は、端子金具７０の基板部７２と隔壁３７との間に形成される空間に差し入れられる。
【００６６】
各端子保持部３３には、端子金具７０に係止して端子金具７０の抜け止めを図るランス８１が設けられている。ランス８１は、端子保持部３３のうち第１接続部１１が収容される部分（以下、第１収容部８２と称する）に設けられている。ランス８１は、各端子保持部３３のうち基板部７２が沿って配される壁面に片持ち状をなして形成されている。ランス８１は、ランス係止部７３に係止して端子金具７０の抜け止めを図る。
【００６７】
ハウジング８０には、端子金具７０に係止して端子金具７０の抜け止めを図るリテーナ８４が備えられている。リテーナ８４は、端子保持部３３のうち第２接続部１２が収容される部分（以下、第２収容部８３と称する）に装着されている。リテーナ８４は、ハウジング８０の幅方向に長い形状をなし、ハウジング８０に保持されたすべての端子金具７０のリテーナ係止部７４に一括して係止可能とされている。リテーナ８４が装着されるリテーナ装着部８５は、上下の端子保持部３３Ｆ，３３Ｓに連通してハウジング８０の下面に開口している。
【００６８】
そして、ハウジング８０には、実施例１と同様、ハウジング８０に保持されたすべての端子金具７０の部品搭載部１３を外部に露出させる上面開口部４５Ｕおよび下面開口部４５Ｓが設けられている。
【００６９】
このコネクタ７１の製造作業において端子金具７０を端子保持部３３に収容するには、第１接続部１１を先に向けて、第２収容部８３の開口から各端子金具７０を挿入する。このときリテーナ８４は、各端子保持部３３Ｆ，３３Ｓから退避させておく。端子金具７０は各端子保持部３３内を前進し、やがて正規の挿入位置（端子金具７０の前端がハウジング８０の前壁に突き当たる位置）に至ると、第１接続部１１に押されて弾性変位していたランス８１が弾性復帰してランス係止部７３に係止する。そして、リテーナ８４をリテーナ装着部８５の奥側に押し込むと、リテーナ８４が端子金具７０のリテーナ係止部７４に係止する。これにより、端子金具７０が二重に係止されて所定の位置に保持され、コネクタ７１の一次加工が完了する。一次加工が完了したコネクタ７１は、実施例１と同様、電子部品５０を搭載する任意の端子金具７０を切断して電子部品５０を搭載する二次加工を行うことで、容易にコネクタ７１の仕様を変えることができる。
【００７０】
以上のように本実施例においては、実施例１と同様に、両端部に第１接続部１１および第２接続部１２が設けられた端子金具７０の中間部に部品搭載部１３が設けられており、中間部を切断しなければ通常の使用が可能な端子金具７０に電子部品５０を搭載することができるから、電子部品５０の搭載箇所の選択肢を増やすことができる。また、この端子金具７０は、第１接続部１１および第２接続部１２のうち第１接続部１１が他の端子金具７０に接続可能とされ、第２接続部１２が電線Ｗの端末部に接続可能とされており、電線Ｗに接続される端子金具７０に電子部品５０を搭載することができるから、電子部品５０の搭載箇所の選択肢を増やすことができる。
【００７１】
＜他の実施例＞
本発明は上記記述及び図面によって説明した実施例に限定されるものではなく、例えば次のような実施例も本発明の技術的範囲に含まれる。
（１）上記実施例では、電子部品５０としてリレーおよびヒューズを端子金具１０（６０）（７０）に搭載する場合について説明したが、これに限らず、各種の電子部品を搭載することができる。
（２）上記実施例では、端子保持部３３が２段に設けられているが、これに限らず、端子保持部は１段のみ、または３段以上に設けてもよい。
（３）上記実施例では、ハウジング３０（６２）（８０）に設けられた開口部４５が、ハウジング３０（６２）（８０）に保持されたすべての端子金具１０（６０）（７０）の部品搭載部１３を外部に露出させるものとしているが、これに限らず、例えば電子部品を搭載する可能性がない端子金具がハウジングに備えられている場合にはその部品搭載部は露出させない等、開口範囲を適宜変えてもよい。
（４）上記実施例では、ハウジング３０（６２）（８０）に保持されたすべての端子金具１０（６０）（７０）に部品搭載部１３が設けられているが、これに限らず、部品搭載部を有する端子金具と、部品搭載部を有さない通常の端子金具とをハウジングに保持させるものとしてもよい。
（５）上記実施例では、部品搭載部１３にスリット１４が形成され、電子部品５０の端子５１がスリット１４に差し入れられて部品接続部１６に接続されているが、これに限らず、例えば部品搭載部にスリットを形成せず、電子部品の端子を部品接続部の一面に載置して半田等により接合するものとしてもよい。
（６）上記実施例１では、端子金具１０の第１接続部１１は、基板の接続孔に挿入されて半田接続されるものとされているが、これに限らず、例えば端子金具の第１接続部は、基板の各接続孔内に弾性的に圧入され、基板の導電路と電気的に接続（プレスフィット接続）するものとしてもよい。
（７）上記実施例１では、端子金具１０がハウジング３０に圧入保持されるものとしているが、これに限らず、端子金具をハウジングにインサート成形して装着するものとしてもよい。
（８）上記実施例１では、ハウジング３０に保持された端子金具１０の第１接続部１１は、ハウジング３０の後面に対して略垂直に配されているが、これに限らず、例えば、端子金具の第１接続部と部品搭載部との間を略直角に屈曲させ、第１接続部がハウジングの後面に対して略平行に配されるものとしてもよい。
（９）上記実施例３では、本発明を、雌型の端子金具１０に適用した場合について説明したが、これに限らず、本発明は、雄型の端子金具にも適用することができる。
【符号の説明】
【００７２】
Ｃ，６１，７１…コネクタ
Ｗ…電線
１０，６０，７０…端子金具
１１…第１接続部（接続部）
１２…第２接続部（接続部）
１３…部品搭載部
３０，６２，８０…ハウジング
３１…嵌合部
４５…開口部
５０…電子部品
５１…端子
【図１】
2016021330.tif 000003
【図２】
2016021330.tif 000004
【図３】
2016021330.tif 000005
【図４】
2016021330.tif 000006
【図５】
2016021330.tif 000007
【図６】
2016021330.tif 000008
【図７】
2016021330.tif 000009
【図８】
2016021330.tif 000010
【図９】
2016021330.tif 000011
【図１０】
2016021330.tif 000012
【図１１】
2016021330.tif 000013
【図１２】
2016021330.tif 000014
【図１３】
2016021330.tif 000015
【図１４】
2016021330.tif 000016
【図１５】
2016021330.tif 000017
【図１６】
2016021330.tif 000018
【図１７】
2016021330.tif 000019
【図１８】
2016021330.tif 000020
【図１９】
2016021330.tif 000021